(57)【要約】【課題】トナーカートリッジと現像器とが相対移動する場合であっても、トナーカートリッジと現像器との間のトナー漏れを抑制することのできる画像形成装置、および、トナーカートリッジを提供すること。【解決手段】  画像形成装置１は、感光ドラム１７と、トナー受入口７３を有する現像器２４と、トナーカートリッジ１５とを備え、トナーカートリッジ１５は、トナー収容部８５と、搬送部８６と、を備え、搬送部８６は、現像器２４に連結された状態で、トナー受入口７３に向かい合うトナー供給口１１１を有する連結管９６を備え、連結管９６は、現像器２４に対して連結され、トナー供給口１１１がトナー受入口７３と向かい合った状態で、トナー収容部８５に対して移動可能である。【選択図】図４
2017072703.tif 000002
【特許請求の範囲】
【請求項１】
感光ドラムと、
トナー受入口を有する現像フレームと、前記感光ドラムと接触するように構成される現像ローラと、を有する現像器と、
トナーカートリッジと、を備え、
前記トナーカートリッジは、
トナーを収容するように構成されるトナー収容部と、
前記トナー収容部から前記現像器に向けてトナーを搬送するための搬送部と、を有し、
前記搬送部は、
前記現像器に対して連結可能な連結管であって、前記連結管が前記現像器に連結された状態で前記トナー受入口に向かい合うトナー供給口を有する連結管と、
前記連結管に設けられるシャッタであって、前記連結管が前記現像器に対して連結された状態で前記トナー供給口を開放する開放位置と、前記連結管の前記現像器に対する連結が解除された状態で前記トナー供給口を閉鎖する閉鎖位置と、の間を移動可能なシャッタと、を備え、
前記連結管は、前記現像器に対して連結され、前記トナー供給口が前記トナー受入口と向かい合った状態で、前記トナー収容部に対して移動可能であることを特徴とする、画像形成装置。
【請求項２】
前記搬送部は、
前記トナー収容部内のトナーを前記連結管に搬送するための搬送管と、
前記搬送管と前記連結管との間に配置され、変形可能な緩衝部材を備えていることを特徴とする、請求項１に記載の画像形成装置。
【請求項３】
前記緩衝部材は、前記連結管の移動方向に変形可能であることを特徴とする、請求項２に記載の画像形成装置。
【請求項４】
前記緩衝部材は、前記搬送管と前記連結管との間をシールすることを特徴とする、請求項２または３に記載の画像形成装置。
【請求項５】
前記緩衝部材は、ウレタンフォームであることを特徴とする、請求項２〜４のいずれか一項に記載の画像形成装置。
【請求項６】
前記搬送管は、前記緩衝部材が接着される第１接着面を備えていることを特徴とする、請求項２〜５のいずれか一項に記載の画像形成装置。
【請求項７】
前記第１接着面は、前記連結管の移動方向と略直交する方向に延びることを特徴とする、請求項６に記載の画像形成装置。
【請求項８】
前記連結管は、前記緩衝部材が接着される第２接着面を備えていることを特徴とする、請求項２〜７のいずれか一項に記載の画像形成装置。
【請求項９】
前記第２接着面は、前記連結管の移動方向と略直交する方向に延びることを特徴とする、請求項８に記載の画像形成装置。
【請求項１０】
前記連結管は、前記連結管の移動方向に延びる略円筒形状を有していることを特徴とする、請求項１〜９のいずれか一項に記載の画像形成装置。
【請求項１１】
前記搬送部は、トナーを前記現像器に搬送するように構成される搬送部材を備え、
前記搬送部材は、少なくとも一部が前記連結管の内部に配置される第１搬送部材を備えていることを特徴とする、請求項１〜１０のいずれか一項に記載の画像形成装置。
【請求項１２】
前記第１搬送部材は、コイルばねであることを特徴とする、請求項１１に記載の画像形成装置。
【請求項１３】
前記搬送部材は、前記感光ドラムの軸線方向に延び、前記搬送管内に配置され、前記搬送管内のトナーを前記連結管に向けて搬送する第２搬送部材を備えていることを特徴とする、請求項１１または１２に記載の画像形成装置。
【請求項１４】
前記第１搬送部材は、前記連結管に支持される第１端部と、前記第１端部と反対側の第２端部と、を備え、
前記第２搬送部材は、前記搬送管に支持される第３端部と、前記第３端部と反対側の第４端部と、を備え、
前記第１搬送部材の前記第２端部と、前記第２搬送部材の前記第４端部とが連結されていることを特徴とする、請求項１３に記載の画像形成装置。
【請求項１５】
前記トナーカートリッジは、前記搬送部材を回転させるための搬送ギアを備え、
前記連結管は、前記感光ドラムの軸線方向において、前記搬送ギアと反対側の前記トナーカートリッジの端部に配置されていることを特徴とする、請求項１１〜１４のいずれか一項に記載の画像形成装置。
【請求項１６】
前記現像器は、前記連結管を受け入れる受入部を備え、
前記受入部は、第１接触面を備え、
前記連結管は、前記第１接触面と接触する第２接触面を備えていることを特徴とする、請求項１〜１５のいずれか一項に記載の画像形成装置。
【請求項１７】
前記第１接触面は、前記連結管の移動方向と略直交する方向に延びることを特徴とする、請求項１６に記載の画像形成装置。
【請求項１８】
前記第２接触面は、前記移動方向と略直交する方向に延びることを特徴とする、請求項１７に記載の画像形成装置。
【請求項１９】
前記連結管は、前記連結管の移動方向において、前記第１接触面から前記現像器に向けて延びる凸部を有し、
前記受入部は、前記凸部を受け入れる凹部を有し、
前記凸部は、その先端部において、前記移動方向と略直交する方向に延びる突出部を備え、
前記凹部は、前記凸部を受け入れた状態で、前記移動方向において前記突出部よりも前記トナー収容部側に配置されるとともに前記突出部と向かい合う板ばねを備えていることを特徴とする、請求項１６〜１８のいずれか一項に記載の画像形成装置。
【請求項２０】
前記トナーカートリッジが装着されるフレームを備えていることを特徴とする、請求項１〜１９のいずれか一項に記載の画像形成装置。
【請求項２１】
前記フレームは、固定穴を有し、
前記トナーカートリッジは、前記固定穴に嵌まる固定部を備えていることを特徴とする、請求項２０に記載の画像形成装置。
【請求項２２】
前記固定部は、前記連結管が移動したときに前記フレームの前記固定穴の内周面と接触するように構成された固定面であって、前記連結管の移動方向と略直交する方向に延びる固定面を有することを特徴とする、請求項２１に記載の画像形成装置。
【請求項２３】
前記フレームは、前記現像器と前記トナーカートリッジとの間に配置される隔壁を備え、
前記隔壁は、前記連結管が挿通可能な挿通穴を備えていることを特徴とする、請求項２０〜２２のいずれか一項に記載の画像形成装置。
【請求項２４】
前記フレームは、前記トナーカートリッジの着脱をガイドする第１ガイドであって、前記連結管の移動方向に延びる第１ガイドを備えていることを特徴とする、請求項２０〜２３のいずれか一項に記載の画像形成装置。
【請求項２５】
前記連結管の移動方向は、前記感光ドラムと前記現像ローラとの並び方向と略同じ方向であることを特徴とする、請求項１〜２４のいずれか一項に記載の画像形成装置。
【請求項２６】
前記現像器を前記感光ドラムに向けて押圧するばねであって、前記連結管の移動方向に前記現像器を押圧するように構成されるばねを備えることを特徴とする、請求項１〜２５のいずれか一項に記載の画像形成装置。
【請求項２７】
前記フレームは、前記現像器をガイドする第２ガイドであって、前記ばねが前記現像器を押圧する押圧方向に延びる第２ガイドを有することを特徴とする、請求項２６に記載の画像形成装置。
【請求項２８】
前記現像器を、前記現像ローラが前記感光ドラムに接触する接触位置から前記現像ローラが前記感光ドラムから離間する離間位置へと移動させるための離間部材を有し、
前記離間部材は、前記現像器を前記接触位置から前記離間位置に移動させるときに、前記現像器を前記連結管の移動方向に移動させることを特徴とする、請求項１〜２７のいずれか一項に記載の画像形成装置。
【請求項２９】
感光ドラムと、トナー受入口を有する現像フレームと前記感光ドラムと接触するように構成される現像ローラとを有する現像器と、を備える画像形成装置に設けられるトナーカートリッジであって、
トナーを収容するように構成されるトナー収容部と、
前記トナー収容部から前記現像器に向けてトナーを搬送するための搬送部と、を有し、
前記搬送部は、
前記現像器に対して連結可能な連結管であって、前記連結管が前記現像器に連結された状態で前記トナー受入口に向かい合うトナー供給口を有する連結管と、
前記連結管に設けられるシャッタであって、前記連結管が前記現像器に対して連結された状態で前記トナー供給口を開放する開放位置と、前記連結管の前記現像器に対する連結が解除された状態で前記トナー供給口を閉鎖する閉鎖位置と、の間を移動可能なシャッタと、を備え、
前記連結管は、前記現像器に対して連結され、前記トナー供給口が前記トナー受入口と向かい合った状態で、前記トナー収容部に対して移動可能であることを特徴とする、トナーカートリッジ。
【発明の詳細な説明】
【技術分野】
【０００１】
本発明は、電子写真方式が採用される画像形成装置、および、その画像形成装置に装着されるトナーカートリッジに関する。
【背景技術】
【０００２】
電子写真方式の画像形成装置として、感光体ドラムと、現像ローラを有する現像装置と、トナーが収容されるトナーカートリッジとを備える画像形成装置が知られている。
【０００３】
このような画像形成装置として、トナーカートリッジの供給口と、現像装置の被供給口とを向かい合わせて、トナーカートリッジ内のトナーを現像装置に供給する画像形成装置が知られている（例えば、特許文献１参照）。
【０００４】
そして、この画像形成装置では、感光体ドラムに対して現像装置を揺動させている。
【先行技術文献】
【特許文献】
【０００５】
【特許文献１】特開２００９−１５１２８０号公報
【発明の概要】
【発明が解決しようとする課題】
【０００６】
しかるに、上記した特許文献１に記載の画像形成装置では、現像装置は、感光体ドラムに対してだけでなく、トナーカートリッジに対しても、揺動する。そのため、トナーカートリッジの供給口に対して、現像装置の被供給口の位置がずれる場合があり、トナー漏れの原因となる。
【０００７】
また、トナーカートリッジの供給口と現像装置の被供給口との位置がずれないように、トナーカートリッジを現像装置とともに揺動させることが検討されるが、トナーカートリッジのトナー容量が多い場合には、トナーカートリッジを現像装置とともに揺動させるのは困難である。
【０００８】
そこで、本発明の目的は、トナーカートリッジと現像器とが相対移動する場合であっても、トナーカートリッジと現像器との間のトナー漏れを抑制することのできる画像形成装置、および、トナーカートリッジを提供することにある。
【課題を解決するための手段】
【０００９】
本発明の画像形成装置は、感光ドラムと、トナー受入口を有する現像フレームと、感光ドラムと接触するように構成される現像ローラと、を有する現像器と、トナーカートリッジと、を備え、トナーカートリッジは、トナーを収容するように構成されるトナー収容部と、トナー収容部から現像器に向けてトナーを搬送するための搬送部と、を有し、搬送部は、現像器に対して連結可能な連結管であって、連結管が現像器に連結された状態でトナー受入口に向かい合うトナー供給口を有する連結管と、連結管に設けられるシャッタであって、連結管が現像器に対して連結された状態でトナー供給口を開放する開放位置と、連結管の現像器に対する連結が解除された状態でトナー供給口を閉鎖する閉鎖位置と、の間を移動可能なシャッタと、を備え、連結管は、現像器に対して連結され、トナー供給口がトナー受入口と向かい合った状態で、トナー収容部に対して移動可能である。
【００１０】
本発明のトナーカートリッジは、感光ドラムと、トナー受入口を有する現像フレームと感光ドラムと接触するように構成される現像ローラとを有する現像器と、を備える画像形成装置に設けられるトナーカートリッジであって、トナーを収容するように構成されるトナー収容部と、トナー収容部から現像器に向けてトナーを搬送するための搬送部と、を有し、搬送部は、現像器に対して連結可能な連結管であって、連結管が現像器に連結された状態でトナー受入口に向かい合うトナー供給口を有する連結管と、連結管に設けられるシャッタであって、連結管が現像器に対して連結された状態でトナー供給口を開放する開放位置と、連結管の現像器に対する連結が解除された状態でトナー供給口を閉鎖する閉鎖位置と、の間を移動可能なシャッタと、を備え、連結管は、現像器に対して連結され、トナー供給口がトナー受入口と向かい合った状態で、トナー収容部に対して移動可能である。
【発明の効果】
【００１１】
本発明の画像形成装置およびトナーカートリッジによれば、トナーカートリッジと現像器とが相対移動する場合であっても、トナーカートリッジと現像器との間のトナー漏れを抑制することができる。
【図面の簡単な説明】
【００１２】
【図１】図１は、本発明の画像形成装置の第１実施形態を示す中央断面図である。
【図２】図２Ａは、図１に示すドラムカートリッジの中央断面図である。図２Ｂは、図２Ａに示すドラムカートリッジの側面図である。
【図３】図３は、図２Ａに示すドラムカートリッジの平面図である。
【図４】図４Ａは、図１に示すプロセスカートリッジであって、現像ローラが感光ドラムに接触した状態を示す。図４Ｂは、図１に示すプロセスカートリッジであって、現像ローラが感光ドラムから離間した状態を示す。
【図５】図５は、図９に示すトナーカートリッジのＡ−Ａ線における断面図である。
【図６】図６Ａは、図５に示すトナーカートリッジのＢ−Ｂ線における断面図である。図６Ｂは、図５に示すトナーカートリッジのＣ−Ｃ線における断面図である。
【図７】図７は、図４Ａに示すプロセスカートリッジにおいて、トナーカートリッジの可動ハンドルが第１位置に位置した状態を示す。
【図８】図８は、図７に示すプロセスカートリッジにおいて、トナーカートリッジの可動ハンドルが第２位置に位置した状態を示す。
【図９】図９は、ドラムカートリッジに対するトナーカートリッジの着脱を説明する説明図である。
【図１０】図１０は、画像形成装置に対するプロセスカートリッジの着脱を説明する説明図である。
【図１１】図１１Ａは、本発明の画像形成装置の第２実施形態におけるトナーカートリッジの要部拡大図である。図１１Ｂは、本発明の画像形成装置の第３実施形態におけるトナーカートリッジの要部拡大図である。
【発明を実施するための形態】
【００１３】
以下、画像形成装置１について説明する。以下の説明において、方向に言及するときには、図中に示す方向矢印を基準とする。
【００１４】
１．プリンタの概略
図１に示すように、画像形成装置１は、電子写真方式のモノクロプリンタである。画像形成装置１は、開口部９を有する装置本体２と、プロセスカートリッジ３と、スキャナユニット７と、定着ユニット８と、読取部３５とを備える。
【００１５】
装置本体２は、略ボックス形状を有する。装置本体２は、フロントカバー１０と、給紙トレイ１１と、排紙トレイ１２とを備える。
【００１６】
開口部９は、装置本体２の前端部に位置する。開口部９は、装置本体２の内外を連通する。開口部９は、プロセスカートリッジ３の通過を許容する。
【００１７】
フロントカバー１０は、装置本体２の前端部に位置する。フロントカバー１０は、上下方向に延びる略板状を有する。フロントカバー１０は、装置本体２の前端部に、フロントカバー１０の下端部を支点として揺動可能に支持される。フロントカバー１０は、開口部９を閉鎖する閉位置と、開口部９を開放する開位置（図９および図１０参照）とに揺動可能である。
【００１８】
給紙トレイ１１は、装置本体２の下端部に位置する。給紙トレイ１１は、用紙Ｐを収容可能なトレイである。
【００１９】
排紙トレイ１２は、装置本体２の上面の前後方向略中央に位置する。排紙トレイ１２は、用紙Ｐが載置されるように、装置本体２の上面から下方へ凹む。
【００２０】
プロセスカートリッジ３は、装置本体２に対して着脱可能である。プロセスカートリッジ３は、装置本体２内の上下方向略中央に位置する。プロセスカートリッジ３は、給紙トレイ１１の上方かつ排紙トレイ１２の下方に位置する。プロセスカートリッジ３は、ドラムユニット１４と、トナーカートリッジ１５とを備える。
【００２１】
ドラムユニット１４は、感光ドラム１７と、転写ローラ１８と、帯電ローラ１９と、帯電ローラ１９の表面に付着した残トナーや紙粉などの付着物を除去するように構成される帯電クリーニングローラ２０と、感光ドラム１７に付着した付着物を回収し、貯留するように構成されるドラムクリーニングユニット２１と、現像器２４とを備える。
【００２２】
感光ドラム１７は、ドラムユニット１４の後端部に位置する。感光ドラム１７は、左右方向に延びる略円筒形状を有する。
【００２３】
転写ローラ１８は、感光ドラム１７の下方に位置する。転写ローラ１８は、感光ドラム１７に接触する。
【００２４】
帯電ローラ１９は、感光ドラム１７の後上方に位置する。帯電ローラ１９は、感光ドラム１７に接触する。帯電ローラ１９は、感光ドラム１７の表面を帯電するように構成される。
【００２５】
現像器２４は、感光ドラム１７の前方に位置する。現像器２４は、現像ローラ２５と、供給ローラ２６と、層厚規制ブレード２７とを備える。
【００２６】
現像ローラ２５は、現像器２４の後端部に位置する。現像ローラ２５は、感光ドラム１７の前方の周面に接触する。現像ローラ２５は、現像器２４に回転可能に支持される。つまり、現像ローラ２５と、感光ドラム１７とは、前後方向に並んでいる。
【００２７】
供給ローラ２６は、現像ローラ２５の前下方に位置する。供給ローラ２６は、現像ローラ２５の前下方の表面に接触する。供給ローラ２６は、現像器２４に回転可能に支持される。
【００２８】
層厚規制ブレード２７は、現像ローラ２５の前上方に位置する。層厚規制ブレード２７の下端部は、現像ローラ２５の前方の表面に接触する。
【００２９】
トナーカートリッジ１５は、ドラムユニット１４に着脱可能である。トナーカートリッジ１５は、現像器２４の前方に位置する。トナーカートリッジ１５は、トナーを収容可能である。詳しくは後述するが、トナーカートリッジ１５は、内部のトナーを現像器２４に供給可能である。
【００３０】
スキャナユニット７は、プロセスカートリッジ３の上方に位置する。スキャナユニット７は、感光ドラム１７に向けて画像データに基づくレーザービームＬを出射可能である。
【００３１】
定着ユニット８は、プロセスカートリッジ３の後方に位置する。定着ユニット８は、加熱ローラ３２と、加熱ローラ３２と接触する加圧ローラ３３とを備える。
【００３２】
読取部３５は、装置本体２の上方に位置する。読取部３５は、排紙トレイ１２の上方に間隔を隔てて位置する。読取部３５は、フラットベッドタイプのイメージスキャナである。読取部３５は、原稿の画像情報を読み取るように構成される。
【００３３】
２．ドラムカートリッジ
ドラムユニット１４は、図２Ａおよび図３に示すように、上記した感光ドラム１７および現像器２４を支持するフレーム４０を備える。
【００３４】
（１）フレーム
フレーム４０は、右方の側壁４４Ｒと、左方の側壁４４Ｌと、下壁４６と、後述するトナーカートリッジ１５の搬送部８６が挿通される挿通穴５５を有する隔壁４７と、ドラムハンドル４２とを備える。
【００３５】
側壁４４Ｒは、ガイド部４９と、トナーカートリッジ１５の後述する第１ロッド１６１が嵌まる固定穴５０と、感光ドラム１７が挿入される穴５８と、現像ローラ２５が挿入される第２ガイドの一例としての第１長穴５９と、供給ローラ２６が挿入される第２ガイドの一例としての第２長穴６０とを有する。
【００３６】
また、側壁４４Ｌは、側壁４４Ｒと同様に、ガイド部４９と、固定穴５０と、穴５８と、第１長穴５９と、第２長穴６０とを有する。
【００３７】
なお、ガイド部４９、固定穴５０については、側壁４４Ｒで説明するものとし、穴５８、第１長穴５９、第２長穴６０については、側壁４４Ｌで説明するものとする。
【００３８】
側壁４４Ｒは、フレーム４０の右端部に位置する。側壁４４Ｒは、上下方向および前後方向に延びる。側壁４４Ｒは、板形状を有する。
【００３９】
ガイド部４９は、側壁４４Ｒの前端部に位置する。ガイド部４９は、側壁４４Ｒの左右方向内面から、左右方向外方に向かって窪む。ガイド部４９は、第１溝５１と、第１ガイドの一例としての第２溝５２とを備える。
【００４０】
第１溝５１は、図２Ａに示すように、側壁４４Ｒの前上端部から後下方に向かって延びる。第１溝５１は、後下方に向かうにつれて、溝幅が小さくなる。第１溝５１は、側面視略三角形状を有する。
【００４１】
第２溝５２は、第１溝５１の後下端部と連続する。第２溝５２は、第１溝５１の後下端部から、後方に向かって延びる。詳しくは、第２溝５２は、第１溝５１の後下端部から、後方に向かって湾曲する湾曲部分と、湾曲部分の後端部から、後方に向かって延びる直線部分とを有する。第２溝５２の直線部分は、後述する現像器２４の移動方向に沿って延びる。
【００４２】
固定穴５０は、図２Ａおよび図３に示すように、第１溝５１の後方、かつ、第２溝５２の前端部の上方に位置する。固定穴５０は、側壁４４Ｒの左右方向内面から左右方向外方に向かって窪む。固定穴５０は、側面視円形状を有する。
【００４３】
側壁４４Ｌは、図２Ｂおよび図３に示すように、フレーム４０の左端部に位置する。側壁４４Ｌは、上下方向および前後方向に延びる。側壁４４Ｌは、板形状を有する。
【００４４】
穴５８は、左右方向から見て、ドラムクリーニングユニット２１の前方に位置する。穴５８は、側壁４４Ｌを左右方向に貫通する。穴５８は、側面視円形状を有する。
【００４５】
第１長穴５９は、穴５８の前方に位置する。第１長穴５９は、側壁４４Ｌを左右方向に貫通する。第１長穴５９は、前後方向に延びる長穴形状を有する。
【００４６】
第２長穴６０は、第１長穴５９の前下方に位置する。第２長穴６０は、側壁４４Ｌを左右方向に貫通する。第２長穴６０は、前後方向に延びる長穴形状を有する。
【００４７】
下壁４６は、図２Ａおよび図３に示すように、フレーム４０の下端部に位置する。下壁４６は、側壁４４Ｒの下端部と側壁４４Ｌの下端部との間に位置する。下壁４６は、左右方向および前後方向に延びる。下壁４６は、板形状を有する。下壁４６は、２つのばね６１を備える。
【００４８】
２つのばね６１は、下壁４６の前後方向略中央に位置する。２つのばね６１は、現像器２４の前方に位置する。２つのばね６１は、左右方向に間隔を隔てて位置する。ばね６１は、コイルばねである。ばね６１の基端は、下壁４６に固定される。ばね６１の自由端は、上方に向かって延びる。
【００４９】
隔壁４７は、左右方向から見て、側壁４４Ｒおよび側壁４４Ｌの第２溝５２の後方に位置する。隔壁４７は、現像器２４と、第２溝５２との間に位置する。隔壁４７は、下壁４６の前後方向略中央から、上方に向かって延びる。隔壁４７は、側壁４４Ｒと側壁４４Ｌとの間に位置する。隔壁４７は、上方に向かうにつれて、前方に向かって湾曲する。隔壁４７は、第２溝５２の後端部を中心とする略円弧形状を有する。
【００５０】
挿通穴５５は、隔壁４７の上方部分に位置する。挿通穴５５は、隔壁４７を前後方向に貫通する。挿通穴５５は、左右方向に延びる。挿通穴５５は、正面視略矩形状を有する。
【００５１】
また、詳しくは後述するが、トナーカートリッジ１５は、フレーム４０において、隔壁４７よりも前方に装着される。このように、フレーム４０において、隔壁４７、下壁４６の前方部分、側壁４４Ｒおよび側壁４４Ｌの前方部分によって画定される部分が、トナーカートリッジ装着部５７である。すなわち、ガイド部４９、および、固定穴５０は、トナーカートリッジ装着部５７に備えられる。
【００５２】
ドラムハンドル４２は、ドラムユニット１４の前端部に位置する。ドラムハンドル４２は、下端部を支点として、前上方に延びるように起立する起立位置と、起立位置から前方に倒れた図示しない傾倒位置との間を回動可能である。ドラムハンドル４２は、図示しない付勢部材により、常には、起立位置に向かって付勢される。
【００５３】
（２）感光ドラム
感光ドラム１７は、ドラム本体１７Ａと、ドラム軸１７Ｂとを備える。
【００５４】
ドラム本体１７Ａは、感光ドラム１７の径方向において、感光ドラム１７の外周部分に位置する。ドラム本体１７Ａは、左右方向に延びる。ドラム本体１７Ａは、左右方向両端部が閉鎖された円筒形状を有する。
【００５５】
ドラム軸１７Ｂは、感光ドラム１７の径方向において、感光ドラム１７の中央に位置する。ドラム軸１７Ｂは、左右方向に延びる。ドラム軸１７Ｂは、円柱形状を有する。ドラム軸１７Ｂの右端部は、図３に示すように、ドラム本体１７Ａの右端部よりも右方に突出する。ドラム軸１７Ｂの右端部は、側壁４４Ｒの穴５８に挿通される。これにより、ドラム軸１７Ｂの右端部は、側壁４４Ｒに回転可能に支持される。ドラム軸１７Ｂの右端部は、側壁４４Ｒよりも右方に突出する。ドラム軸１７Ｂの左端部は、ドラム本体１７Ａの左端部よりも左方に突出する。ドラム軸１７Ｂの左端部は、側壁４４Ｌの穴５８に挿通される。これにより、ドラム軸１７Ｂの左端部は、側壁４４Ｌに回転可能に支持される。ドラム軸１７Ｂの左端部は、側壁４４Ｌよりも左方に突出する。
【００５６】
（３）現像器
現像器２４は、図２Ａに示すように、ドラムユニット１４の前後方向略中央に位置する。現像器２４は、上記した現像ローラ２５と、上記した供給ローラ２６とを支持する現像フレーム６２と、第１スクリュー２９と、第２スクリュー３０と、受入部６３とを備える。
【００５７】
（３−１）現像フレーム
現像フレーム６２は、図２Ａおよび図３に示すように、右方の側壁６５Ｒと、左方の側壁６５Ｌと、前壁６６と、下壁６７と、トナー受入口７３を有する上壁６８と、区画壁７０とを備える。
【００５８】
側壁６５Ｒは、現像フレーム６２の右端部に位置する。側壁６５Ｒは、上下方向および前後方向に延びる。側壁６５Ｒは、板形状を有する。
【００５９】
側壁６５Ｌは、現像フレーム６２の左端部に位置する。側壁６５Ｌは、上下方向および前後方向に延びる。側壁６５Ｌは、板形状を有する。
【００６０】
前壁６６は、現像フレーム６２の前端部に位置する。前壁６６は、側壁６５Ｒの前端部と側壁６５Ｌの前端部との間に位置する。下壁６７は、上下方向および左右方向に延びる。前壁６６は、板形状を有する。
【００６１】
下壁６７は、図２Ａに示すように、現像フレーム６２の下端部に位置する。下壁６７は、側壁６５Ｒの下端部と側壁６５Ｌの下端部との間に位置する。下壁６７は、前後方向および左右方向に延びる。下壁６７は、板形状を有する。下壁６７の前端部は、前壁６６の下端部に接続される。
【００６２】
上壁６８は、図２Ａおよび図３に示すように、現像フレーム６２の上端部に位置する。上壁６８は、側壁６５Ｒの上端部と側壁６５Ｌの上端部との間に位置する。上壁６８は、前後方向および左右方向に延びる。上壁６８の前端部は、図２Ａに示すように、前壁６６の上端部に接続される。上壁６８は、その右端部において、後述する受入部６３の外周面に沿って、下方に円弧形状に窪む円弧部分を有する。上壁６８の後端部は、下方に向かって屈曲する。上壁６８の後端部は、層厚規制ブレード２７を支持する。
【００６３】
トナー受入口７３は、図２Ａおよび図４Ａに示すように、上壁６８の右端部に位置する。トナー受入口７３は、区画壁７０よりも前方に位置する。トナー受入口７３は、上壁６８の円弧部分を上下方向に貫通する。
【００６４】
区画壁７０は、図２Ａに示すように、前壁６６の後方に位置する。区画壁７０は、側壁６５Ｒと側壁６５Ｌとの間に位置する。区画壁７０は、上壁６８の前後方向略中央から、下方に向かって延びる。区画壁７０は、板形状を有する。区画壁７０の下端部は、供給ローラ２６の前方に位置する。区画壁７０の下端部は、下壁６７の上方に間隔を隔てて位置する。
【００６５】
なお、区画壁７０は、現像フレーム６２の内部空間を、区画壁７０よりも後方の現像部３１と、区画壁７０よりも前方のトナー収容部２８とに区画する。
【００６６】
（３−２）現像ローラ
現像ローラ２５は、図２Ａおよび図３に示すように、現像被覆部２５Ａと、現像シャフト２５Ｂと、右方の現像カラー２５ＣＲと、左方の現像カラー２５ＣＬとを備える。
【００６７】
現像被覆部２５Ａは、現像ローラ２５の径方向において、現像ローラ２５の外周部分に位置する。現像被覆部２５Ａは、左右方向に延びる。現像被覆部２５Ａは、円筒形状を有する。
【００６８】
現像シャフト２５Ｂは、現像ローラ２５の径方向において、現像ローラ２５の中央に位置する。現像シャフト２５Ｂは、左右方向に延びる。現像シャフト２５Ｂは、円柱形状を有する。現像シャフト２５Ｂの右端部は、現像被覆部２５Ａの右端部よりも右方に突出する。現像シャフト２５Ｂの右端部は、側壁６５Ｒに回転可能に支持される。現像シャフト２５Ｂの右端部は、側壁６５Ｒよりも右方に突出する。現像シャフト２５Ｂの左端部は、現像被覆部２５Ａの左端部よりも左方に突出する。現像シャフト２５Ｂの左端部は、側壁６５Ｌに回転可能に支持される。現像シャフト２５Ｂの左端部は、側壁６５Ｌよりも左方に突出する。
【００６９】
現像カラー２５ＣＲは、図３に示すように、現像ローラ２５の右端部に位置する。現像カラー２５ＣＲは、左右方向に延びる。現像カラー２５ＣＲは、円筒形状を有する。現像カラー２５ＣＲは、現像シャフト２５Ｂの右端部に嵌まる。そして、現像カラー２５ＣＲは、側壁４４Ｒの第１長穴５９に嵌まる。現像カラー２５ＣＲは、側壁４４Ｒよりも左右方向外方に突出する。
【００７０】
現像カラー２５ＣＬは、図２Ｂおよび図３に示すように、現像ローラ２５の左端部に位置する。現像カラー２５ＣＬは、左右方向に延びる。現像カラー２５ＣＬは、円筒形状を有する。現像カラー２５ＣＬは、現像シャフト２５Ｂの左端部に嵌まる。そして、現像カラー２５ＣＬは、側壁４４Ｌの第１長穴５９に嵌まる。現像カラー２５ＣＬは、側壁４４Ｌよりも左右方向外方に突出する。
【００７１】
（３−３）供給ローラ
供給ローラ２６は、図２Ａおよび図３に示すように、供給被覆部２６Ａと、供給シャフト２６Ｂと、右方の供給カラー２６ＣＲと、左方の供給カラー２６ＣＬとを備える。
【００７２】
供給被覆部２６Ａは、供給ローラ２６の径方向において、供給ローラ２６の外周部分に位置する。供給被覆部２６Ａは、左右方向に延びる。供給被覆部２６Ａは、円筒形状を有する。
【００７３】
供給シャフト２６Ｂは、供給ローラ２６の径方向において、供給ローラ２６の中央に位置する。供給シャフト２６Ｂは、左右方向に延びる。供給シャフト２６Ｂは、円柱形状を有する。供給シャフト２６Ｂの右端部は、供給被覆部２６Ａの右端部よりも右方に突出する。供給シャフト２６Ｂの右端部は、側壁６５Ｒに回転可能に支持される。供給シャフト２６Ｂの右端部は、側壁６５Ｒよりも右方に突出する。供給シャフト２６Ｂの左端部は、供給被覆部２６Ａの左端部よりも左方に突出する。供給シャフト２６Ｂの左端部は、側壁６５Ｌに回転可能に支持される。供給シャフト２６Ｂの左端部は、側壁６５Ｌよりも左方に突出する。
【００７４】
供給カラー２６ＣＲは、図３に示すように、供給ローラ２６の右端部に位置する。供給カラー２６ＣＲは、左右方向に延びる。供給カラー２６ＣＲは、円筒形状を有する。供給カラー２６ＣＲは、供給シャフト２６Ｂの右端部に嵌まる。そして、供給カラー２６ＣＲは、側壁４４Ｒの第２長穴６０に嵌まる。供給カラー２６ＣＲは、側壁４４Ｒよりも左右方向外方に突出する。
【００７５】
供給カラー２６ＣＬは、図２Ｂおよび図３に示すように、供給ローラ２６の左端部に位置する。供給カラー２６ＣＬは、左右方向に延びる。供給カラー２６ＣＬは、円筒形状を有する。供給カラー２６ＣＬは、供給シャフト２６Ｂの左端部に嵌まる。そして、供給カラー２６ＣＬは、側壁４４Ｌの第２長穴６０に嵌まる。供給カラー２６ＣＬは、側壁４４Ｌよりも左右方向外方に突出する。
【００７６】
（３−４）第１スクリューおよび第２スクリュー
第１スクリュー２９は、図２Ａに示すように、現像部３１内に位置する。具体的には、第１スクリュー２９は、供給ローラ２６の上方、かつ、区画壁７０の後方に位置する。第１スクリュー２９の右端部は、側壁６５Ｒに回転可能に支持される。第１スクリュー２９の左端部は、側壁６５Ｌに回転可能に支持される。
【００７７】
第２スクリュー３０は、トナー収容部２８内に位置する。つまり、第２スクリュー３０は、区画壁７０の前方に位置する。第２スクリュー３０の右端部は、側壁６５Ｒに回転可能に支持される。第２スクリュー３０の左端部は、側壁６５Ｌに回転可能に支持される。
【００７８】
（３−５）受入部
受入部６３は、図３および図４Ａに示すように、現像器２４の右上端部に位置する。受入部６３は、現像フレーム６２に対して固定される。受入部６３は、図４Ａに示すように、連通口８０を有する円筒部７６と、閉鎖部７７とを備える。
【００７９】
円筒部７６は、現像フレーム６２のトナー受入口７３の上方に位置する。円筒部７６は、前後方向に延びる。円筒部７６は、円筒形状を有する。
【００８０】
連通口８０は、円筒部７６の下方の周面を上下方向に貫通する。連通口８０は、底面視略矩形状を有する。連通口８０は、現像フレーム６２のトナー受入口７３と上下方向において一致する。
【００８１】
閉鎖部７７は、円筒部７６の後端部に位置する。閉鎖部７７は、円筒部７６の後端部を閉鎖する。閉鎖部７７は、正面視円形状を有する。円筒部７６の前面は、第１接触面８１である。また、閉鎖部７７は、凹部７８を備える。
【００８２】
第１接触面８１は、円筒部７６の周方向に延びる。すなわち、第１接触面８１は、後述する現像器２４の移動方向に対して、略直交する方向に延びる。なお、略直交とは、例えば、７５°以上、好ましくは、８０°以上、さらに好ましくは、８５°以上であり、例えば、１０５°以下、好ましくは、１００°以下、さらに好ましくは、９５°以下である。具体的には、略直交は、９０°である。
【００８３】
凹部７８は、閉鎖部７７の径方向略中央から、後方に向かって窪む。凹部７８は、後端部が閉鎖された略円筒形状を有する。凹部７８は、板ばね８２を備える。
【００８４】
板ばね８２は、凹部７８の内周面から凹部７８の径方向内方に向かって突出する。
【００８５】
（４）現像器のドラムカートリッジに対する組み付け状態
上記したように、現像器２４は、図２Ｂおよび図３に示すように、現像カラー２５ＣＲが側壁４４Ｒの第１長穴５９に嵌まり、現像カラー２５ＣＬが側壁４４Ｌの第１長穴５９に嵌まり、供給カラー２６ＣＲが側壁４４Ｒの第２長穴６０に嵌まり、供給カラー２６ＣＬがドラムユニット１４の側壁４４Ｌの第２長穴６０に嵌まることで、ドラムユニット１４のフレーム４０に支持される。これにより、現像器２４は、第１長穴５９および第２長穴６０に沿って、前後方向に移動可能となる。つまり、現像器２４の移動方向は、前後方向である。また、現像器２４の移動方向は、感光ドラム１７と現像ローラ２５との並び方向と略同じ方向である。
【００８６】
また、現像器２４の側壁６５Ｒの前下端部は、右方のばね６１の自由端の後面と接触する。現像器２４の側壁６５Ｌの前下端部は、左方のばね６１の自由端と接触する。これにより、現像器２４は、２つのばね６１によって、第１長穴５９および第２長穴６０に沿って、常には、後方に向けて押圧される。言い換えると、第１長穴５９および第２長穴６０の延びる方向が、ばね６１の押圧方向である。
【００８７】
３．トナーカートリッジ
（１）トナーカートリッジの構成
トナーカートリッジ１５は、図５および図６Ａに示すように、トナー収容部８５と、搬送部８６と、ハンドルユニット８７とを備える。
【００８８】
（１−１）トナー収容部
トナー収容部８５は、内部にトナーを収容する。トナー収容部８５は、左右方向に延びる。トナー収容部８５は、左右方向両端部が閉鎖された略円筒形状を有する。トナー収容部８５は、アジテータ９０を備える。
【００８９】
アジテータ９０は、アジテータ軸９０Ａと、羽根９０Ｂと、アジテータギア９１とを備える。
【００９０】
アジテータ軸９０Ａは、左右方向から見て、トナー収容部８５の中央に位置する。アジテータ軸９０Ａは、左右方向に延びる。アジテータ軸９０Ａは、円柱形状を有する。アジテータ軸９０Ａの右端部は、トナー収容部８５の右端部に回転可能に支持される。アジテータ軸９０Ａの右端部は、トナー収容部８５の右端部よりも右方に突出する。アジテータ軸９０Ａの左端部は、トナー収容部８５の左端部に回転可能に支持される。アジテータ軸９０Ａの左端部は、トナー収容部８５の左端部よりも左方に突出する。
【００９１】
羽根９０Ｂは、トナー収容部８５内に位置する。羽根９０Ｂは、アジテータ軸９０Ａから、アジテータ９０の径方向外方に延びる。羽根９０Ｂは、トナー収容部８５の内面に接触する。
【００９２】
アジテータギア９１は、トナー収容部８５の左方に位置する。アジテータギア９１は、アジテータ軸９０Ａの左端部に固定される。アジテータギア９１は、全周においてギア歯を有する。アジテータギア９１は、アジテータ軸９０Ａとともに回転可能である。
【００９３】
（１−２）搬送部
搬送部８６は、トナー収容部８５の後上方に位置する。搬送部８６は、トナー収容部８５内のトナーを現像器２４に搬送するための搬送管９２と、トナー供給口１１１を有する連結管９６と、シャッタ１１４と、付勢部材１１５と、緩衝部材９８と、カバー部材９９と、搬送部材１００とを備える。
【００９４】
搬送管９２は、連通口１０２を有する第１搬送管９４と、第２搬送管９５とを備える。
【００９５】
第１搬送管９４は、トナー収容部８５の後上方に位置する。第１搬送管９４は、左右方向に延びる。第１搬送管９４は、左端部が閉鎖された略円筒形状を有する。
【００９６】
連通口１０２は、第１搬送管９４の前端部、および、トナー収容部８５の後上端部を前後方向に貫通する。連通口１０２は、左右方向に延びる。これにより、連通口１０２は、第１搬送管９４の前端部と、トナー収容部８５の後上端部とを連通する。
【００９７】
第２搬送管９５は、図５および図６Ｂに示すように、第１搬送管９４の右方に位置する。第２搬送管９５は、第１搬送管９４の右端部から連続して右方に延び、後方に向かって屈曲する。第２搬送管９５は、略円筒形状を有する。第２搬送管９５は、第１鍔部１０３を備える。
【００９８】
第１鍔部１０３は、第２搬送管９５の後端部に位置する。第１鍔部１０３は、第２搬送管９５の後端部から、第２搬送管９５の径方向外方に向かって突出する。第１鍔部１０３は、第２搬送管９５の周方向に延びる。第１鍔部１０３は、板形状を有する。第１鍔部１０３の後面は、第１接着面１０４である。第１接着面１０４は、第２搬送管９５の径方向に延びる。すなわち、第１接着面１０４は、現像器２４の移動方向に対して、略直交する方向に延びる。
【００９９】
連結管９６は、第２搬送管９５の後方に間隔を隔てて位置する。連結管９６は、前後方向、すなわち、現像器２４の移動方向に延びる。連結管９６は、後端部が閉鎖された略円筒形状を有する。連結管９６の後面は、第２接触面１１０である。第２接触面１１０は、連結管９６の径方向に延びる。すなわち、第２接触面１１０は、現像器２４の移動方向に対して、略直交する方向に延びる。
【０１００】
また、連結管９６は、第２鍔部１０６と、凸部１０７、留め具１０５とを備える。
【０１０１】
第２鍔部１０６は、連結管９６の前端部に位置する。第２鍔部１０６は、連結管９６の前端部から、連結管９６の径方向外方に向かって突出する。第２鍔部１０６は、連結管９６の周方向に延びる。第２鍔部１０６は、板形状を有する。第２鍔部１０６の前面は、第２接着面１０８である。第２接着面１０８は、連結管９６の径方向に延びる。すなわち、第２接着面１０８は、現像器２４の移動方向に対して、略直交する方向に延びる。
【０１０２】
凸部１０７は、連結管９６の後端部に位置する。凸部１０７は、連結管９６の後端部から後方に向かって突出する。凸部１０７は、略円柱形状を有する。凸部１０７は、突出部１０９を備える。
【０１０３】
突出部１０９は、凸部１０７の後端部に位置する。突出部１０９は、凸部１０７の周面から、凸部１０７の径方向外方に向かって突出する。突出部１０９は、凸部１０７の周方向に延びる。突出部１０９は、断面視略円弧形状を有する。
【０１０４】
留め具１０５は、突出部１０９の前方に位置する。留め具１０５は、前後方向に延びる。留め具１０５は、略円柱形状を有する。留め具１０５は、連結管９６の後端部に対して、回転可能に支持される。
【０１０５】
トナー供給口１１１は、連結管９６の後端部に位置する。トナー供給口１１１は、連結管９６の下方の周面を上下方向に貫通する。トナー供給口１１１は、底面視略矩形状を有する。
【０１０６】
シャッタ１１４は、トナーカートリッジ１５の後端部に位置する。シャッタ１１４は、連結管９６の周面を被覆する。言い換えると、シャッタ１１４は、連結管９６に設けられる。シャッタ１１４は、前後方向に延びる。シャッタ１１４は、略円筒形状を有する。シャッタ１１４の前後方向寸法は、連結管９６の前後方向寸法の略半分である。シャッタ１１４は、連結管９６のトナー供給口１１１を閉鎖する閉鎖位置（図６Ｂ参照）と、閉鎖位置よりも前方に位置し、連結管９６のトナー供給口１１１を開放する開放位置（図４Ａおよび図４Ｂ参照）とに移動可能である。
【０１０７】
付勢部材１１５は、シャッタ１１４の前方に位置する。付勢部材１１５は、連結管９６に巻回される。付勢部材１１５は、前後方向に延びるコイルばねである。付勢部材１１５の後端部は、シャッタ１１４の前端部と接触する。付勢部材１１５の前端部は、第２鍔部１０６の後面と接触する。付勢部材１１５は、自然長の状態で、シャッタ１１４を閉鎖位置に位置させるように構成される。
【０１０８】
緩衝部材９８は、第１鍔部１０３と、第２鍔部１０６との間に位置する。緩衝部材９８は、ウレタンフォームである。また、緩衝部材９８は、ポリエチレンフォームやゴムスポンジに代替することができる。緩衝部材９８は、変形可能である。緩衝部材９８は、略円環形状を有する。緩衝部材９８の前面は、第１鍔部１０３の第１接着面１０４に接着される。緩衝部材９８の後面は、第２鍔部１０６の第２接着面１０８に接着される。これにより、緩衝部材９８は、第２搬送管９５と連結管９６との間をシールする。なお、緩衝部材９８は、第１鍔部１０３と第２鍔部１０６との間において、前後方向に圧縮された状態で保持される。
【０１０９】
カバー部材９９は、緩衝部材９８の径方向外方に位置する。カバー部材９９は、前後方向に延びる。カバー部材９９は、略円筒形状を有する。カバー部材９９の前端部は、第２搬送管９５の第１鍔部１０３よりも前方に位置する。カバー部材９９の後端部は、連結管９６の第２鍔部１０６よりも後方に位置する。カバー部材９９は、第１規制部１１８と、第２規制部１１９とを備える。
【０１１０】
第１規制部１１８は、カバー部材９９の前端部に位置する。第１規制部１１８は、カバー部材９９の径方向内方に向かって突出する。第１規制部１１８は、カバー部材９９の周方向に延びる。カバー部材９９は、板形状を有する。第１規制部１１８の後面は、第２搬送管９５の第１鍔部１０３の前面と向かい合う。なお、第１規制部１１８の後面には、前後方向に圧縮される緩衝部材９８の弾性力により、第２搬送管９５の第１鍔部１０３の前面が押圧される。
【０１１１】
第２規制部１１９は、カバー部材９９の後端部に位置する。第２規制部１１９は、カバー部材９９の径方向内方に向かって突出する。第２規制部１１９は、カバー部材９９の周方向に延びる。第２規制部１１９は、板形状を有する。第２規制部１１９の前面は、連結管９６の第２鍔部１０６の後面と向かい合う。なお、第２規制部１１９の前面には、前後方向に圧縮される緩衝部材９８の弾性力により、連結管９６の第２鍔部１０６の後面が押圧される。
【０１１２】
こうして、カバー部材９９および緩衝部材９８によって、連結管９６が、第２搬送管９５に対して、接続される。
【０１１３】
搬送部材１００は、トナー収容部８５内のトナーを、トナー供給口１１１に向けて搬送する。搬送部材１００は、第２搬送部材の一例としてのオーガスクリュー１２３と、第１搬送部材の一例としてのコイルばね１２２とを備える。
【０１１４】
オーガスクリュー１２３は、図５および図６Ａに示すように、第１搬送管９４内に位置する。オーガスクリュー１２３は、左右方向に延びる。オーガスクリュー１２３の左端部１２３Ａ（第３端部）は、第１搬送管９４の左壁に回転可能に支持される。左端部１２３Ａは、第１搬送管９４の左壁よりも左方に突出する。オーガスクリュー１２３の右端部１２３Ｂ（第４端部）は、第１搬送管９４の右端部内に位置する。オーガスクリュー１２３の右端部１２３Ｂは、左右方向において、左端部１２３Ａの反対側の端部である。また、オーガスクリュー１２３は、搬送ギア１２５を備える。
【０１１５】
搬送ギア１２５は、第１搬送管９４の左方に位置する。搬送ギア１２５は、オーガスクリュー１２３の左端部１２３Ａに固定される。言い換えると、搬送ギア１２５は、左右方向において、連結管９６と反対側の端部に位置する。搬送ギア１２５は、全周においてギア歯を有する。搬送ギア１２５は、オーガスクリュー１２３とともに回転可能である。搬送ギア１２５は、アジテータギア９１と噛み合う。
【０１１６】
コイルばね１２２は、図５および図６Ｂに示すように、第２搬送管９５および連結管９６内に位置する。言い換えると、コイルばね１２２の少なくとも一部が、連結管９６内に位置する。コイルばね１２２は、伸縮可能である。コイルばね１２２は、第２搬送管９５および連結管９６に沿って湾曲する。コイルばね１２２の後端部１２２Ａ（第１端部）は、連結管９６の後端部に位置する。コイルばね１２２の後端部１２２Ａは、連結管９６の留め具１０５と連結される。コイルばね１２２の前端部１２２Ｂは、第２搬送管９５の前端部に位置する。コイルばね１２２の前端部１２２Ｂ（第２端部）は、前後方向において、後端部１２２Ａの反対側の端部である。コイルばね１２２の前端部１２２Ｂは、オーガスクリュー１２３の右端部１２３Ｂと連結される。これにより、コイルばね１２２は、オーガスクリュー１２３と共に回転可能である。
【０１１７】
（１−３）ハンドルユニット
ハンドルユニット８７は、図５および図６Ａに示すように、トナーカートリッジ１５の前端部に位置する。ハンドルユニット８７は、固定ハンドル１３１と、可動ハンドル１３２と、右方の連動部１３３Ｒと、左方の連動部１３３Ｌとを備える。
【０１１８】
固定ハンドル１３１は、第１グリップ１３５と、連動部１３３Ｒの後述する第１ロッド１６１が挿通される穴１４２を有する右方の第１壁１３６Ｒと、連動部１３３Ｌの後述する第１ロッド１６１が挿通される穴１４２を有する左方の第１壁１３６Ｌと、連動部１３３Ｒの後述する第１ロッド１６１が挿通される穴１４３を有する右方の第２壁１３７Ｒと、連動部１３３Ｌの後述する第１ロッド１６１が挿通される穴１４３を有する左方の第２壁１３７Ｌと、第１溝１４５、第２溝１４６および連動部１３３Ｒの後述する第２ロッド１６２が挿通される穴１４７を有する右方の第３壁１３８Ｒと、第１溝１４５、第２溝１４６および連動部１３３Ｌの後述する第２ロッド１６２が挿通される穴１４７を有する左方の第３壁１３８Ｌとを備える。
【０１１９】
第１グリップ１３５は、固定ハンドル１３１の前端部に位置する。第１グリップ１３５は、左右方向に延びる。第１グリップ１３５は、前方に突出する断面略半円形状を有する。
【０１２０】
第１壁１３６Ｒは、図５および図６Ｂに示すように、固定ハンドル１３１の右端部に位置する。第１壁１３６Ｒは、トナー収容部８５の前端部から、前方に延びる。第１壁１３６Ｒは、前方に向かうにつれて、上下方向寸法が小さくなる側面視略三角形状を有する。第１壁１３６Ｒの前端部は、第１グリップ１３５の右端部に接続される。
【０１２１】
穴１４２は、第１壁１３６Ｒの後端部に位置する。穴１４２は、第１壁１３６Ｒを左右方向に貫通する。穴１４２は、側面視円形状を有する。
【０１２２】
第１壁１３６Ｌは、図５に示すように、固定ハンドル１３１の左端部に位置する。第１壁１３６Ｌは、トナー収容部８５の前端部から、前方に延びる。第１壁１３６Ｌは、図示しないが、左右方向に投影したときに、第１壁１３６Ｒと同一形状を有する。第１壁１３６Ｌの前端部は、第１グリップ１３５の左端部に接続される。
【０１２３】
第２壁１３７Ｒは、第１壁１３６Ｒの左方に位置する。第２壁１３７Ｒは、トナー収容部８５の前端部から、前方に延びる。第２壁１３７Ｒは、図示しないが、左右方向に投影したときに、第１壁１３６Ｒと同一形状を有する。第２壁１３７Ｒの前端部は、第１グリップ１３５に接続される。
【０１２４】
穴１４３は、第２壁１３７Ｒの後端部に位置する。穴１４３は、第２壁１３７Ｒを左右方向に貫通する。穴１４３は、側面視略円形状を有する。穴１４３は、左右方向に投影したときに、第１壁１３６Ｒの穴１４２と一致する。
【０１２５】
第２壁１３７Ｌは、第１壁１３６Ｌの右方に位置する。第２壁１３７Ｌは、トナー収容部８５の前端部から、前方に延びる。第２壁１３７Ｌは、図示しないが、左右方向に投影したときに、第２壁１３７Ｒと同一形状を有する。第２壁１３７Ｌの前端部は、第１グリップ１３５に接続される。
【０１２６】
第３壁１３８Ｒは、第２壁１３７Ｒの左方に位置する。第３壁１３８Ｒは、トナー収容部８５の前端部から、前方に延びる。第３壁１３８Ｒは、図６Ａおよび図６Ｂに示すように、左右方向に投影したときに、第１壁１３６Ｒと同一形状を有する。第３壁１３８Ｒの前端部は、第１グリップ１３５に接続される。
【０１２７】
第１溝１４５は、図５に示すように、第３壁１３８Ｒの前端部に位置する。第１溝１４５は、第３壁１３８Ｒの左右方向内面から、左右方向外方に窪む。第１溝１４５は、前後方向に延びる。第１溝１４５は、側面視略矩形状を有する。
【０１２８】
第２溝１４６は、第１溝１４５の後方に位置する。第２溝１４６は、第３壁１３８Ｒの左右方向内面から、左右方向外方に窪む。第２溝１４６は、前後方向に延びる。第２溝１４６は、側面視略矩形状を有する。
【０１２９】
穴１４７は、第２溝１４６の前端部に位置する。穴１４７は、第３壁１３８Ｒを左右方向に貫通する。穴１４７は、側面視略矩形状を有する。
【０１３０】
第３壁１３８Ｌは、第２壁１３７Ｌの右方に位置する。第３壁１３８Ｌは、トナー収容部８５の前端部から、前方に延びる。第３壁１３８Ｌは、図示しないが、左右方向に投影したときに、第１壁１３６Ｒと同一形状を有する。第３壁１３８Ｌの前端部は、第１グリップ１３５に接続される。
【０１３１】
可動ハンドル１３２は、図５に示すように、ハンドルユニット８７の左右方向略中央に位置する。具体的には、左右方向において、第３壁１３８Ｒと、第３壁１３８Ｌとの間であり、前後方向において、トナー収容部８５と、第１グリップ１３５との間に位置する。可動ハンドル１３２は、第２グリップ１４９と、右方のボス１５０Ｒと、左方のボス１５０Ｌと、連動部１３３Ｒの後述する第２ロッド１６２が挿通される穴１５６を有する右方の第４壁１５１Ｒと、連動部１３３Ｌの後述する第２ロッド１６２が挿通される穴１５６を有する左方の第４壁１５１Ｌと、連結部１５３と、２つの付勢部材１５４とを有する。
【０１３２】
第２グリップ１４９は、図５および図６Ａに示すように、可動ハンドル１３２の前端部に位置する。第２グリップ１４９は、左右方向に延びる。第２グリップ１４９は、後方に突出する断面略半円形状を有する。
【０１３３】
ボス１５０Ｒは、図５に示すように、第２グリップ１４９の右方に位置する。ボス１５０Ｒは、第２グリップ１４９の右端部から右方に突出する。ボス１５０Ｒは、円柱形状を有する。ボス１５０Ｒは、第３壁１３８Ｒの第１溝１４５に嵌まる。
【０１３４】
ボス１５０Ｌは、第２グリップ１４９の左方に位置する。ボス１５０Ｌは、第２グリップ１４９の左端部から左方に突出する。ボス１５０Ｌは、第３壁１３８Ｌの第１溝１４５に嵌まる。
【０１３５】
第４壁１５１Ｒは、図５および図６Ａに示すように、可動ハンドル１３２の右端部に位置する。第４壁１５１Ｒは、第３壁１３８Ｒの左方に位置する。第４壁１５１Ｒは、前後方向に延びる。第４壁１５１Ｒは、板形状を有する。第４壁１５１Ｒの前端部は、第２グリップ１４９の右端部に接続される。第４壁１５１Ｒは、傾斜部１５７を有する。
【０１３６】
傾斜部１５７は、第４壁１５１Ｒの後端部に位置する。傾斜部１５７は、第４壁１５１Ｒの左右方向内面から、後方に向かうにつれて、左右方向内方に傾斜する。
【０１３７】
穴１５６は、第４壁１５１Ｒの後方部分に位置する。穴１５６は、第４壁１５１Ｒを左右方向に貫通する。穴１５６は、側面視略矩形状を有する。穴１５６は、傾斜部１５７と重なる。
【０１３８】
第４壁１５１Ｌは、図５に示されるように、可動ハンドル１３２の左端部に位置する。第４壁１５１Ｌは、第３壁１３８Ｌの右方に位置する。第４壁１５１Ｌは、前後方向に延びる。第４壁１５１Ｌは、板形状を有する。第４壁１５１Ｌの前端部は、第２グリップ１４９の左端部に接続される。第４壁１５１Ｌは、第４壁１５１Ｒと同様に、傾斜部１５７を有する。
【０１３９】
連結部１５３は、図５および図６Ａに示すように、可動ハンドル１３２の後端部に位置する。連結部１５３は、左右方向に延びる。連結部１５３は、円柱形状を有する。連結部１５３は、第４壁１５１Ｒの後端部と、第４壁１５１Ｌの後端部とに接続される。連結部１５３の右端部は、図５に示すように、第４壁１５１Ｒよりも右方に突出する。連結部１５３の右端部は、第３壁１３８Ｒの第２溝１４６に嵌まる。連結部１５３の左端部は、第４壁１５１Ｌよりも左方に突出する。連結部１５３の左端部は、第３壁１３８Ｌの第２溝１４６に嵌まる。
【０１４０】
２つの付勢部材１５４は、第２グリップ１４９と、固定ハンドル１３１の第１グリップ１３５との間に位置する。２つの付勢部材１５４は、互いに左右方向に間隔を隔てて位置する。付勢部材１５４は、前後方向に延びるコイルばねである。付勢部材１５４の前端部は、第１グリップ１３５の後面と接触する。付勢部材１５４の後端部は、第２グリップ１４９の前面と接触する。付勢部材１５４は、可動ハンドル１３２を、第１グリップ１３５から離れるように、常には後方に付勢する。
【０１４１】
こうして、可動ハンドル１３２は、付勢部材１５４の付勢力により、ボス１５０Ｒが第３壁１３８Ｒの第１溝１４５の後端部に位置し、ボス１５０Ｌが第３壁１３８Ｌの第１溝１４５の後端部に位置し、連結部１５３の右端部が第３壁１３８Ｒの第２溝１４６の後端部に位置し、連結部１５３の左端部が第３壁１３８Ｌの第２溝１４６の後端部に位置する第１位置（図７参照）と、付勢部材１５４の付勢力に抗して、ボス１５０Ｒが第３壁１３８Ｒの第１溝１４５の前端部に位置し、ボス１５０Ｌが第３壁１３８Ｌの第１溝１４５の前端部に位置し、連結部１５３の右端部が第３壁１３８Ｒの第２溝１４６の前端部に位置し、連結部１５３の左端部が第３壁１３８Ｌの第２溝１４６の前端部に位置する第２位置（図８参照）とに移動可能である。
【０１４２】
連動部１３３Ｒは、図５および図６Ａに示すように、ハンドルユニット８７の右端部に位置する。連動部１３３Ｒは、固定部の一例としての第１ロッド１６１と、第２ロッド１６２と、接続部１６３と、付勢部材１６４とを備える。
【０１４３】
第１ロッド１６１は、連動部１３３Ｒの後端部に位置する。第１ロッド１６１は、左右方向に延びる。第１ロッド１６１は、円柱形状を有する。第１ロッド１６１の左右方向外方端部は、左右方向内方に向かうにつれて、後方に傾斜するように切り欠かれる。第１ロッド１６１は、第１壁１３６Ｒの穴１４２と、第２壁１３７Ｒの穴１４３とに挿通される。第１ロッド１６１の左右方向外端部は、第１壁１３６Ｒよりも左右方向外方に位置する。第１ロッド１６１の左右方向外端部における前方の周面が、固定面１６６である。固定面１６６は、左右方向に延びる。言い換えると、すなわち、固定面１６６は、現像器２４の移動方向に対して、略直交する方向に延びる。第１ロッド１６１の左右方向内端部は、第２壁１３７Ｒと、第３壁１３８Ｒとの間に位置する。
【０１４４】
第２ロッド１６２は、連動部１３３Ｒの前端部に位置する。第２ロッド１６２は、左右方向に延びる。第２ロッド１６２は、略角柱形状を有する。第２ロッド１６２は、第３壁１３８Ｒの穴１４７と、可動ハンドル１３２の第４壁１５１Ｒの穴１５６とに挿通される。第２ロッド１６２の左右方向外端部は、第２壁１３７Ｒと、第３壁１３８Ｒとの間に位置する。第２ロッド１６２の左右方向内端部は、可動ハンドル１３２の第４壁１５１Ｒよりも左右方向内方に位置する。第２ロッド１６２は、ボス１６７を有する。
【０１４５】
ボス１６７は、第２ロッド１６２の左右方向内端部に位置する。ボス１６７は、上下方向に延びる。ボス１６７は、円柱形状を有する。ボス１６７の上下方向寸法は、第４壁１５１Ｒの穴１５６の上下方向寸法よりも大きい。
【０１４６】
接続部１６３は、第１ロッド１６１の左右方向内端部と、第２ロッド１６２の左右方向外端部とを接続する。接続部１６３は、板形状を有する。接続部１６３は、後方に向かうにつれて、左右方向外方に傾斜する。
【０１４７】
付勢部材１６４は、第１ロッド１６１の左右方向内端部に位置する。付勢部材１６４は、左右方向に延びるコイルばねである。付勢部材１６４の左右方向外端部は、第１ロッド１６１の左右方向外端部に固定される。付勢部材１６４の左右方向内端部は、第３壁１３８Ｒの左右方向外面に固定される。付勢部材１６４は、連動部１３３Ｒを、常には、左右方向外方に付勢する。
【０１４８】
こうして、連動部１３３Ｒは、付勢部材１６４の付勢力により、接続部１６３の左右方向外方における後端部が、第２壁１３７Ｒと接触し、第１ロッド１６１の左右方向外端部が、第１壁１３６Ｒよりも左右方向外方に位置するロック位置（図７参照）と、付勢部材１６４の付勢力に抗して、接続部１６３の左右方向外方における後端部が、第２壁１３７Ｒから離間し、第１ロッド１６１の左右方向外方端部が、上下方向に投影したときに第１壁１３６Ｒと重なる位置に位置するロック解除位置（図８参照）とに移動可能である。
【０１４９】
連動部１３３Ｌは、ハンドルユニット８７の左端部に位置する。連動部１３３Ｌは、連動部１３３Ｒと同様の形状を有する。
【０１５０】
なお、連動部１３３Ｌがロック位置に位置するときには、図７に示すように、連動部１３３Ｌの第１ロッド１６１の左右方向外端部が、アジテータギア９１よりも左右方向外方に位置する。また、連動部１３３Ｌがロック解除位置に位置するときには、図８に示すように、連動部１３３Ｌの第１ロッド１６１の左右方向外端部が、上下方向に投影したときに、アジテータギア９１と重なる。
【０１５１】
（２）トナーカートリッジの装着状態
トナーカートリッジ１５は、図４Ａに示すように、トナーカートリッジ装着部５７に装着された状態で、隔壁４７の前方に位置する。言い換えると、隔壁４７は、トナーカートリッジ１５と、現像器２４との間に位置する。
【０１５２】
このとき、アジテータ軸９０Ａの右端部は、図４Ａおよび図７に示すように、ドラムユニット１４の側壁４４Ｒの第２溝５２の後端部に嵌まる。アジテータ軸９０Ａの左端部は、図７に示すように、ドラムユニット１４の側壁４４Ｌの第２溝５２の後端部に嵌まる。
【０１５３】
また、連動部１３３Ｒの第１ロッド１６１は、側壁４４Ｒの固定穴５０に嵌まる。そして、連動部１３３Ｒの第１ロッド１６１の固定面１６６が固定穴５０の内周面と接触する。連動部１３３Ｌの第１ロッド１６１は、側壁４４Ｌの固定穴５０に嵌まる。そして、連動部１３３Ｌの第１ロッド１６１の固定面１６６が固定穴５０の内周面と接触する。
【０１５４】
また、搬送部８６は、図４Ａに示すように、隔壁４７の挿通穴５５を介して、隔壁４７の後方に突出する。搬送部８６の連結管９６は、現像器２４の受入部６３に連結される。
【０１５５】
連結管９６の凸部１０７は、受入部６３の凹部７８に嵌まる。凸部１０７の突出部１０９は、凹部７８の板ばね８２よりも後方に位置する。これにより、板ばね８２は、連結管９６が、受入部６３に対して前方に移動することを規制する。
【０１５６】
また、連結管９６の第２接触面１１０が、受入部６３の第１接触面８１と接触する。これにより、第１接触面８１は、連結管９６が、受入部６３に対して後方に移動することを規制する。
【０１５７】
また、このとき、シャッタ１１４は、受入部６３の円筒部７６に接触し、付勢部材１１５の付勢力に抗して、開放位置に位置する。
【０１５８】
そして、連結管９６が現像器２４に対して連結された状態で、連結管９６のトナー供給口１１１は、現像器２４の連通口８０およびトナー受入口７３と向かい合う。
【０１５９】
４．装置本体の詳細
装置本体２は、図１０に示すように、受入溝１７１を有する右方の側壁１７０と、受入溝１７１を有する図示しない左方の側壁と、２つの離間部材１７２とを備える。
【０１６０】
側壁１７０は、装置本体２の右端部に位置する。側壁１７０は、上下方向および前後方向に延びる。側壁１７０は、板形状を有する。
【０１６１】
受入溝１７１は、側壁１７０の左右方向内面から左右方向外方に向かって窪む。受入溝１７１は、開口部９から、後下方に向かって延びる。
【０１６２】
図示しない側壁は、装置本体２の左端部に位置する。図示しない側壁は、側壁１７０と同様に、左右方向内面に受入溝１７１を有する。
【０１６３】
そして、側壁１７０および図示しない側壁の受入溝１７１は、プロセスカートリッジ３の感光ドラム１７のドラム軸１７Ｂを受け入れる。
【０１６４】
これにより、装置本体２は、プロセスカートリッジ３を支持する。
【０１６５】
２つの離間部材１７２は、左右方向から見て、受入溝１７１の後下端部の前方に位置する。２つの離間部材１７２は、図３に示すように、左右方向に間隔を隔てて位置する。離間部材１７２は、図２Ｂおよび図４Ａに示すように、上下方向に延びる。離間部材１７２は、略角柱形状を有する。離間部材１７２は、離間部材１７２の下端部を支点として回動可能である。左方の離間部材１７２の上端部は、供給ローラ２６の供給カラー２６ＣＬの前端部に向かい合う。また、図３に示すように、右方の離間部材１７２の上端部は、供給カラー２６ＣＲの前端部と向かい合う。
【０１６６】
５．トナーカートリッジおよびプロセスカートリッジの着脱動作
トナーカートリッジ１５は、ドラムユニット１４が装置本体２に装着された状態、または、ドラムユニット１４が装置本体２から離脱された状態のいずれであっても、ドラムユニット１４に対して着脱可能である。
【０１６７】
以下の説明において、ドラムユニット１４が装置本体２に装着された状態におけるトナーカートリッジ１５の着脱動作について、説明する。
【０１６８】
（１）トナーカートリッジの離脱
トナーカートリッジ１５をドラムユニット１４から離脱するときには、作業者は、図９に示すように、装置本体２のフロントカバー１０を開位置に位置させる。
【０１６９】
次いで、作業者は、ハンドルユニット８７の固定ハンドル１３１の第１グリップ１３５と、可動ハンドル１３２の第２グリップ１４９とを一体として把持する。
【０１７０】
このとき、作業者は、図７および図８に示すように、付勢部材１５４の付勢力に抗して、可動ハンドル１３２の第２グリップ１４９を固定ハンドル１３１の第１グリップ１３５に近づけ、可動ハンドル１３２を、第１位置から第２位置に移動させる。
【０１７１】
すると、連動部１３３Ｒのボス１６７が、第４壁１５１Ｒの傾斜部１５７に乗り上げるようにして、左方に移動する。また、連動部１３３Ｌのボス１６７が、第４壁１５１Ｌの傾斜部１５７に乗り上げるようにして、右方に移動する。
【０１７２】
これにより、連動部１３３Ｒおよび連動部１３３Ｌは、付勢部材１６４の付勢力に抗して、ロック位置からロック解除位置に移動する。
【０１７３】
すると、側壁４４Ｒの固定穴５０から、連動部１３３Ｒの第１ロッド１６１が抜ける。また、左方の側壁４４Ｌの固定穴５０から、連動部１３３Ｌの第１ロッド１６１が抜ける。
【０１７４】
こうして、第１ロッド１６１の固定面１６６の、固定穴５０の内周面との接触が解除される。
【０１７５】
そして、作業者は、図９に示すように、トナーカートリッジ１５をドラムユニット１４から前上方へ引き抜く。
【０１７６】
これにより、トナーカートリッジ１５がドラムユニット１４から離脱される。
【０１７７】
また、トナーカートリッジ１５の現像器２４に対する連結が解除されることにより、シャッタ１１４は、図６Ｂに示すように、付勢部材１１５の付勢力により、閉鎖位置に位置し、トナー供給口１１１を閉鎖する。
【０１７８】
（２）トナーカートリッジの装着
トナーカートリッジ１５をドラムユニット１４に装着するには、図９に示すように、フロントカバー１０を開位置に位置させる。
【０１７９】
そして、アジテータ軸９０Ａをガイド部４９の第１溝５１および第２溝５２に沿うようにして、トナーカートリッジ１５をトナーカートリッジ装着部５７に装着する。
【０１８０】
このとき、作業者は、搬送部８６を挿通穴５５に挿入する。
【０１８１】
そして、搬送部８６の連結管９６を、受入部６３に連結させる。具体的には、図４に示すように、受入部６３の凹部７８に、連結管９６の凸部１０７を挿入する。
【０１８２】
すると、凸部１０７の突出部１０９が、凹部７８の板ばね８２を乗り越え、板ばね８２よりも後方に位置する。
【０１８３】
また、連結管９６が受入部６３と連結することにより、シャッタ１１４の後端部が受入部６３の円筒部７６の前端部と接触する。これにより、シャッタ１１４が開放位置に位置する。
【０１８４】
そして、フロントカバー１０を閉位置に位置させる。
【０１８５】
これにより、図１に示すように、トナーカートリッジ１５がドラムユニット１４に装着される。
【０１８６】
６．プロセスカートリッジの着脱動作
（１）プロセスカートリッジの離脱
プロセスカートリッジ３を装置本体２から離脱するときには、作業者は、図１０に示すように、装置本体２のフロントカバー１０を開位置に位置させる。
【０１８７】
次いで、ドラムハンドル４２を把持して、プロセスカートリッジ３を装置本体２から前上方に引き出す。
【０１８８】
これにより、プロセスカートリッジ３が、受入溝１７１に沿って移動し、プロセスカートリッジ３が装置本体２から離脱される。
【０１８９】
（２）プロセスカートリッジの装着
プロセスカートリッジ３を装置本体２に装着するときには、作業者は、フロントカバー１０を開位置に位置させた後、プロセスカートリッジ３を装置本体２内に挿入する。
【０１９０】
このとき、プロセスカートリッジ３の感光ドラム１７のドラム軸１７Ｂが、受入溝１７１に沿うようにして、装着する。
【０１９１】
そして、作業者は、フロントカバー１０を閉位置に位置させる。
【０１９２】
これにより、プロセスカートリッジ３が装置本体２に装着される。
【０１９３】
７．画像形成動作
図１に示すように、画像形成装置１が画像形成動作を開始すると、帯電ローラ１９は、感光ドラム１７の表面を一様に帯電する。スキャナユニット７は、レーザービームＬを出射し、感光ドラム１７の表面を露光する。これにより、画像データに基づく静電潜像が、感光ドラム１７の表面に形成され、担持される。
【０１９４】
また、図５および図６Ａに示すように、トナーカートリッジ１５では、アジテータ９０が、トナー収容部８５内のトナーを撹拌し、連通口１０２を介して、トナーを第１搬送管９４に搬送する。
【０１９５】
次いで、オーガスクリュー１２３およびコイルばね１２２は、搬送ギア１２５に駆動力が入力されることにより、共に回転し、第１搬送管９４内のトナーを、第２搬送管９５を介して、連結管９６の後端部まで搬送する。
【０１９６】
そして、図２Ａおよび図４Ａに示すように、トナーは、トナー供給口１１１、連通口８０およびトナー受入口７３を介して、トナー収容部２８に供給される。
【０１９７】
次いで、図２Ａに示すように、第２スクリュー３０は、トナー収容部２８内のトナーを左右方向に搬送する。トナー収容部２８内のトナーは、左右方向における区画壁７０の両端部に設けたられた開口を通過して、現像部３１に供給される。
【０１９８】
第１スクリュー２９は、現像部３１内のトナーを左右方向に搬送する。現像部３１内のトナーは、供給ローラ２６に供給される。
【０１９９】
そして、供給ローラ２６は、現像部３１内のトナーを現像ローラ２５に供給する。このとき、トナーは、現像ローラ２５と供給ローラ２６との間で正極性に摩擦帯電され、現像ローラ２５に担持される。層厚規制ブレード２７は、現像ローラ２５に担持されたトナーの層厚を一定厚さに規制する。
【０２００】
そして、現像ローラ２５に担持されたトナーは、感光ドラム１７表面の静電潜像に供給される。これにより、トナー像が、感光ドラム１７の表面に担持される。
【０２０１】
用紙Ｐは、図１に示すように、給紙トレイ１１から、所定のタイミングで１枚ずつ、感光ドラム１７と転写ローラ１８との間に給紙される。感光ドラム１７表面のトナー像は、用紙Ｐが感光ドラム１７と転写ローラ１８との間を通過するときに、用紙Ｐに転写される。
【０２０２】
次いで、用紙Ｐは、加熱ローラ３２と加圧ローラ３３との間を通過するときに加熱および加圧される。これにより、用紙Ｐ上のトナー像は、用紙Ｐに熱定着される。
【０２０３】
その後、用紙Ｐは、排紙トレイ１２に積載される。
【０２０４】
なお、上記した画像形成動作において、図４Ａに示すように、感光ドラム１７および現像ローラ２５の回転により、感光ドラム１７に対して、現像器２４が移動する。現像器２４は、第１長穴５９および第２長穴６０に沿って、前後方向に移動する。
【０２０５】
このとき、トナーカートリッジ１５の連結管９６は、受入部６３と連結していることにより、現像器２４とともに、前後方向に移動する。
【０２０６】
すると、トナーカートリッジ１５の緩衝部材９８は、前後方向において、圧縮されるように変形する。そのため、トナーカートリッジ１５の連結管９６は、トナー供給口１１１がトナー受入口７３と向かい合った状態で、トナー収容部２８に対して移動する。
【０２０７】
８．感光ドラムと現像ローラとの接離動作
離間部材１７２は、図４Ａおよび図４Ｂに示すように、クリーニング動作、ウォームアップ動作時などに、下端部を支点として左側面視時計回りに回動する。
【０２０８】
これにより、離間部材１７２は、図４Ｂに示すように、供給ローラ２６の供給カラー２６ＣＲおよび供給カラー２６ＣＬを前方に押圧する。すると、現像器２４が、ばね６１の付勢力に抗して、第１長穴５９および第２長穴６０に沿って前方に移動する。こうして、現像器２４は、現像ローラ２５が感光ドラム１７と接触する接触位置から、現像ローラ２５が感光ドラム１７から離間する離間位置へと移動する。
【０２０９】
なお、現像ローラ２５が感光ドラム１７から離間するときには、連結管９６は、受入部６３と連結していることにより、現像器２４とともに、前方に移動する。
【０２１０】
このとき、トナーカートリッジ１５の緩衝部材９８は、前後方向において圧縮されるように変形する。そのため、トナーカートリッジ１５の連結管９６は、トナー供給口１１１がトナー受入口７３と向かい合った状態で、トナー収容部２８に対して移動する。
【０２１１】
９．作用効果
（１）画像形成装置１およびトナーカートリッジ１５によれば、図４Ａおよび図４Ｂに示すように、トナーカートリッジ１５の連結管９６は、現像器２４に対して連結され、トナー供給口１１１が、トナー受入口７３と向かい合った状態で、トナー収容部２８に対して移動可能となる。
【０２１２】
このような構成によれば、感光ドラム１７に対する現像器２４の移動に伴い、トナーカートリッジ１５の連結管９６が移動する。
【０２１３】
そのため、感光ドラム１７に対して、現像器２４が移動したときに、トナー供給口１１１とトナー受入口７３とがずれない。その結果、トナーカートリッジ１５と現像器２４との間のトナー漏れを抑制することができる。
【０２１４】
また、感光ドラム１７に対して現像器２４が移動したときに、トナーカートリッジ１５の連結管９６は、トナーカートリッジ１５のトナー収容部８５に対して移動する。その結果、トナーカートリッジ１５のトナー容量が多い場合でも、感光ドラム１７に対して現像器２４を安定して揺動させることができる。
【０２１５】
（２）画像形成装置１によれば、図４Ａおよび図４Ｂに示すように、緩衝部材９８の変形によって、搬送部８６の第２搬送管９５に対する連結管９６の移動を許容することができる。
【０２１６】
（３）画像形成装置１によれば、図４Ａおよび図４Ｂに示すように、緩衝部材９８によって、搬送部８６の第２搬送管９５に対する前後方向への移動を許容することができる。
【０２１７】
（４）画像形成装置１によれば、図４Ａおよび図４Ｂに示すように、第２搬送管９５と連結管９６との間のトナー漏れを、シール部材である緩衝部材９８によって確実に抑制することができる。
【０２１８】
（５）画像形成装置１によれば、図４Ａおよび図４Ｂに示すように、緩衝部材９８がウレタンフォームであるので、第２搬送管９５に対する連結管９６の移動を許容するとともに、第２搬送管９５と連結管９６との間のトナー漏れを抑制することができる。
【０２１９】
（６）画像形成装置１によれば、図４Ａおよび図４Ｂに示すように、緩衝部材９８を第１鍔部１０３の第１接着面１０４に接着することにより、緩衝部材９８を、第２搬送管９５の第１鍔部１０３に対して隙間なく接触させた状態で、変形させることができる。
【０２２０】
その結果、第２搬送管９５と緩衝部材９８との間のトナー漏れを抑制することができる。
【０２２１】
（７）画像形成装置１によれば、図４Ａおよび図４Ｂに示すように、第１接着面１０４は、トナー収容部８５に対する連結管９６の移動方向と略直交する方向に延びる。
【０２２２】
そのため、緩衝部材９８が、現像器２４の移動によって、搬送管９２から剥離することを抑制することができる。
【０２２３】
その結果、搬送管９２と緩衝部材９８との間のトナー漏れを確実に抑制することができる。
【０２２４】
（８）画像形成装置１によれば、図４Ａおよび図４Ｂに示すように、緩衝部材９８を第２鍔部１０６の第２接着面１０８に接着することにより、緩衝部材９８を、連結管９６に対して隙間なく接触させた状態で、変形させることができる。
【０２２５】
そのため、連結管９６と緩衝部材９８との間のトナー漏れを抑制することができる。
【０２２６】
（９）画像形成装置１によれば、図４Ａおよび図４Ｂに示すように、第２接着面１０８は、連結管９６の移動方向と略直交する方向に延びる。
【０２２７】
そのため、緩衝部材９８が、現像器２４の移動によって、搬送管９２から剥離することを抑制することができる。
【０２２８】
その結果、搬送管９２と緩衝部材９８との間のトナー漏れを確実に抑制することができる。
【０２２９】
（１０）画像形成装置１によれば、図４Ａおよび図４Ｂに示すように、連結管９６が前後方向に延びる略円筒形状を有するので、簡易な構成により、トナーを前後方向に搬送することができる。
【０２３０】
（１１）画像形成装置１によれば、図４Ａおよび図５に示すように、コイルばね１２２が第２搬送管９５の内部と連結管９６の内部とにわたって位置することにより、確実に、トナーを連結管９６まで搬送することができる。
【０２３１】
（１２）画像形成装置１によれば、図４Ａおよび図４Ｂに示すように、連結管９６が移動するときに、コイルばね１２２を弾性的に変形させることができる。
【０２３２】
そのため、連結管９６を円滑に移動させることができながら、連結管９６内のトナーをコイルばね１２２によって搬送することができる。
【０２３３】
（１３）画像形成装置１によれば、図５および図６Ａに示すように、第１搬送管９４内のトナーを、オーガスクリュー１２３によって、右方に搬送し、第２搬送管９５を介して、連結管９６に供給することができる。
【０２３４】
その結果、オーガスクリュー１２３とコイルばね１２２とによって、トナー収容部８５内のトナーを、現像器２４に搬送することができる。
【０２３５】
（１４）画像形成装置１によれば、図５に示すように、コイルばね１２２の前端部１２２Ｂとオーガスクリュー１２３の右端部１２３Ｂとが連結されていることにより、コイルばね１２２とオーガスクリュー１２３とを連動させることができる。
【０２３６】
（１５）画像形成装置１によれば、図５に示すように、搬送ギア１２５は、第１搬送管９４の左方に位置し、連結管９６は、搬送部８６の右端部に位置する。つまり、搬送ギア１２５と連結管９６とが、左右方向において、離れるように位置する。
【０２３７】
そのため、搬送ギア１２５の駆動による振動が、連結管９６に伝達することを抑制することができる。
【０２３８】
その結果、トナーを安定して搬送することができる。
【０２３９】
（１６）画像形成装置１によれば、図４Ａおよび図４Ｂに示すように、現像器２４の受入部６３の第１接触面８１に対して、連結管９６の第２接触面１１０を接触させることで、現像器２４の移動に対して、連結管９６を追従させることができる。
【０２４０】
（１７）画像形成装置１によれば、図４Ａおよび図４Ｂに示すように、受入部６３の第１接触面８１が、連結管９６の移動方向と略直交する方向に延びている。
【０２４１】
そのため、受入部６３の第１接触面８１に対して、連結管９６を安定して接触させることができる。
【０２４２】
（１８）画像形成装置１によれば、図４Ａおよび図４Ｂに示すように、連結管９６の第２接触面１１０が、連結管９６の移動方向と略直交する方向に延びている。
【０２４３】
そのため、連結管９６の第２接触面１１０に対して、受入部６３を安定して接触させることができる。
【０２４４】
（１９）画像形成装置１によれば、図４Ａおよび図４Ｂに示すように、凹部７８に対して凸部１０７を係合させて、突出部１０９と板ばね８２とを向かい合わせることにより、連結管９６の受入部６３に対する移動を規制することができる。
【０２４５】
その結果、トナー供給口１１１と、トナー受入口７３および連通口８０とを確実に向かい合わせた状態を維持することができる。
【０２４６】
（２０）画像形成装置１によれば、図４Ａおよび図４Ｂに示すように、トナーカートリッジ１５を所定のトナーカートリッジ装着部５７に装着することができる。
【０２４７】
（２１）画像形成装置１によれば、図７に示すように、トナーカートリッジ１５のハンドルユニット８７の第１ロッド１６１を、トナーカートリッジ装着部５７の固定穴５０に嵌めることにより、トナーカートリッジ１５をトナーカートリッジ装着部５７に固定することができる。
【０２４８】
（２２）画像形成装置１によれば、図７に示すように、第１ロッド１６１の固定面１６６が左右方向に延びているので、固定面１６６を固定穴５０の内周面と接触させて、トナーカートリッジ１５が、前方に移動することを抑制することができる。
【０２４９】
そのため、トナーカートリッジ１５が現像器２４から押されても、トナーカートリッジ装着部５７から外れることを抑制することができる。
【０２５０】
（２３）画像形成装置１によれば、図４Ａおよび図４Ｂに示すように、ドラムユニット１４の隔壁４７は、連結管９６が挿通可能な挿通穴５５を備える。
【０２５１】
そのため、トナーカートリッジ１５を、トナーカートリッジ装着部５７に対して装着することができながら、挿通穴５５を介して、連結管９６を、現像器２４に対して確実に連結させることができる。
【０２５２】
（２４）画像形成装置１によれば、図４Ａおよび図４Ｂに示すように、トナーカートリッジ１５の着脱をガイドするガイド部４９の第２溝５２が、前後方向に延びる直線部分を有しているので、トナーカートリッジ１５を、トナーカートリッジ装着部５７に対して、前後方向に沿って装着することができる。
【０２５３】
そのため、トナーカートリッジ１５を装着するときに、連結管９６を現像器２４に対して、前後方向に沿って円滑に連結することができる。
【０２５４】
（２５）画像形成装置１によれば、図４Ａおよび図４Ｂに示すように、感光ドラム１７と現像ローラ２５との並び方向と、連結管９６の移動方向とは略同じ方向である。
【０２５５】
そのため、感光ドラム１７と現像ローラ２５との並び方向において、第２搬送管９５に対して、連結管９６を移動させることができる。
【０２５６】
その結果、感光ドラム１７と現像ローラ２５との並び方向において、感光ドラム１７に対して現像器２４が移動するときに、トナー供給口１１１と、トナー受入口７３および連通口８０とが向かい合った状態を維持して、連結管９６を第２搬送管９５に対して移動させることができる。
【０２５７】
（２６）画像形成装置１によれば、図４Ａおよび図４Ｂに示すように、ばね６１は、現像器２４を後方に押圧するので、第２搬送管９５に対して、連結管９６を、ばね６１の押圧に合わせて移動させることができる。
【０２５８】
そのため、感光ドラム１７に対して、現像ローラ２５を安定して接触させることができる。
【０２５９】
（２７）画像形成装置１によれば、図２Ａおよび図２Ｂに示すように、前後方向に延びる第１長穴５９および第２長穴６０によって、現像器２４をガイドすることができる。
【０２６０】
そして、ばね６１は、現像器２４を後方に押圧するので、第１長穴５９および第２長穴６０によって、現像器２４を、確実に前後方向に沿って移動させることができる。
【０２６１】
（２８）画像形成装置１は、図２Ａおよび図２Ｂに示すように、前後方向に沿って、現像器２４を接触位置から離間位置に移動させる離間部材１７２を備える。
【０２６２】
そして、離間部材１７２によって、感光ドラム１７から現像ローラ２５を離間させるときであっても、トナー供給口１１１と、トナー受入口７３および連通口８０とが向かい合った状態を維持し、トナーカートリッジ１５と現像器２４との間のトナー漏れを抑制することができる。
【０２６３】
１０．第２実施形態
次に、図１１Ａを参照して、本発明の画像形成装置の第２実施形態を説明する。なお、第２実施形態において、上記した第１実施形態と同様の部材には同様の符号を付し、その説明を省略する。
【０２６４】
第１実施形態では、図４Ａに示すように、搬送部８６は、ウレタンフォームからなる緩衝部材９８を備える。
【０２６５】
対して、第２実施形態では、図１１Ａに示すように、ウレタンフォームからなる緩衝部材９８に代えて、蛇腹チューブ１７６を配置することもできる。
【０２６６】
蛇腹チューブ１７６は、前後方向に延びる。蛇腹チューブ１７６は、前後方向に伸縮可能な管である。
【０２６７】
このような第２実施形態によっても、第１実施形態と同様の作用効果を奏することができる。
【０２６８】
１１．第３実施形態
次に、図１１Ｂを参照して、本発明の画像形成装置の第３実施形態を説明する。なお、第３実施形態において、上記した第１実施形態と同様の部材には同様の符号を付し、その説明を省略する。
【０２６９】
第１実施形態では、図４Ａに示すように、搬送部８６は、ウレタンフォームからなる緩衝部材９８を備える。
【０２７０】
対して、第３実施形態では、図１１Ｂに示すように、ウレタンフォームからなる緩衝部材９８に代えて、軟質チューブ１７７を配置することもできる。
【０２７１】
軟質チューブ１７７は、前後方向に延びる。軟質チューブ１７７は、略円筒形状を有する。軟質チューブ１７７は、変形可能な管である。
【０２７２】
このような第３実施形態によっても、第１実施形態と同様の作用効果を奏することができる。
【０２７３】
１２．変形例
本発明は、上記した実施形態に限定されない。例えば、上記した実施形態では、現像器２４の受入部６３は、連通口８０を有する円筒部７６と、閉鎖部７７とを備えるが、受入部６３が、連通口８０を有する円筒部７６を備えず、閉鎖部７７のみから構成することもできる。このような場合には、受入部６３の閉鎖部７７に対して、トナーカートリッジ１５の連結管９６が連結することにより、トナー供給口１１１と、トナー受入口７３とが向かい合う。
【０２７４】
また、上記した実施形態では、ドラムユニット１４は、装置本体２に対して、着脱可能に構成されるが、装置本体２に対して、着脱不能に構成することもできる。
【０２７５】
また、上記した実施形態では、現像器２４は、ドラムユニット１４に対して、着脱不能に構成されるが、ドラムユニット１４に対して、着脱可能に構成することもできる。
【０２７６】
また、現像フレーム６２と、受入部６３とを、一体として構成することもできる。
【０２７７】
また、ばね６１は、２つに限定されず、１つであってもよく、３つ以上であってもよい。
【０２７８】
また、離間部材１７２は、２つに限定されず、１つであってもよい。
【符号の説明】
【０２７９】
１        画像形成装置
１５      トナーカートリッジ
１７      感光ドラム
２４      現像器
２５      現像ローラ
４０      フレーム
４７      隔壁
５０      固定穴
５２      第２溝
５５      挿通穴
５９      第１長穴
６０      第２長穴
６１      ばね
６２      現像フレーム
６３      受入部
７３      トナー連通口
７８      凹部
８１      第１接触面
８２      板ばね
８５      トナー収容部
９２      搬送管
９６      連結管
９８      緩衝部材
１００    搬送部材
１０４    第１接着面
１０７    凸部
１０８    第２接着面
１０９    突出部
１１０    第２接触面
１１１    トナー供給口
１１４    シャッタ
１２２    コイルばね
１２２Ａ  後端部
１２２Ｂ  前端部
１２３    オーガスクリュー
１２３Ａ  左端部
１２３Ｂ  右端部
１２５    搬送ギア
１６１    第１ロッド
１６６    固定面
１７２    離間部材
１７６    蛇腹チューブ
１７７    軟質チューブ
【図１】
2017072703.tif 000003
【図２】
2017072703.tif 000004
【図３】
2017072703.tif 000005
【図４】
2017072703.tif 000006
【図５】
2017072703.tif 000007
【図６】
2017072703.tif 000008
【図７】
2017072703.tif 000009
【図８】
2017072703.tif 000010
【図９】
2017072703.tif 000011
【図１０】
2017072703.tif 000012
【図１１】
2017072703.tif 000013